(57)【要約】【課題】操作性の良いレンズ鏡筒及び撮影装置を提供する提供する。【解決手段】本発明のレンズ鏡筒は、内面側に備えられた第１突起１４３と、第１突起１４３から光軸方向に間隔を隔てて内面側に備えられた第２突起１４４と、第１突起１４３と第２突起１４４との問に備えられた凹部１４１とを有する固定筒１４と、固定筒１４の内面側に備えられた内面側部分１５０を有し、固定筒１４に対して回転可能に固定筒１４に保持される回転筒１５とを含み、内面側部分１５０は、第１突起１４３と第２突起１４４に案内され凹部１４１内を筒の周方向に移動する、回転筒１５の周方向に間隔を隔てて複数備えられた第３突起１５１と、周方向において第３突起１５１が備えられていない部分に備えられた貫通孔１５２とを有し、第１突起１４３は、周方向において貫通孔１５２に対応する部分に切欠き部１４２が形成されていることを特徴とする。【選択図】図７
2011248008.tif 000002
【特許請求の範囲】
【請求項１】
内面側に備えられた第１突起と、前記第１突起から光軸方向に間隔を隔てて内面側に備えられた第２突起と、前記第１突起と前記第２突起との問に備えられた凹部とを有する固定筒と、
前記固定筒の内面側に備えられた内面側部分を有し、前記固定筒に対して回転可能に前記固定筒に保持される回転筒とを含み、
前記内面側部分は、前記第１突起と前記第２突起に案内され前記凹部内を筒の周方向に移動する、前記回転筒の周方向に間隔を隔てて複数備えられた第３突起と、前記周方向において前記第３突起が備えられていない部分に備えられた貫通孔とを有し、
前記第１突起は、前記周方向において前記貫通孔に対応する部分に切欠き部が形成されていること、
を特徴とするレンズ鏡筒。
【請求項２】
請求項１に記載のレンズ鏡筒において、
前記貫通孔と前記第３突起は、周方向に交互に設けられていること、
を特徴とするレンズ鏡筒。
【請求項３】
請求項１または２に記載のレンズ鏡筒において、
前記貫通孔及び前記切欠き部は、周方向に延び、前記回転筒の前記固定筒に対する全移動範囲において、前記貫通孔と前記切欠き部との少なくとも一部は、互いに隣接していること、
を特徴とするレンズ鏡筒。
【請求項４】
請求項１から請求項３のいずれか１項に記載のレンズ鏡筒において、
前記固定筒と前記回転筒との間に、外部空間と前記切欠き部とを連通する間隙Ｄ２が設けられていること、
を特徴とするレンズ鏡筒。
【請求項５】
請求項１から請求項４のいずれか１項に記載のレンズ鏡筒において、
前記貫通孔の内周側には、防水性及び通気性を有する部材が配置されていること、
を特徴とするレンズ鏡筒。
【請求項６】
請求項１から請求項５のいずれか１項に記載のレンズ鏡筒において、
前記回転筒はズーム操作環又はフォーカス操作環であること、
を特徴とするレンズ鏡筒。
【請求項７】
外面側に備えられた第１突起と、前記第１突起から光軸方向に間隔を隔てて外面側に備えられた第２突起と、前記第１突起と前記第２突起との間に備えられた凹部とを有する固定筒と、
前記固定筒の外面側に備えられた外面側部分を有し、前記固定筒に対して回転可能に前記固定筒に保持される回転筒とを含み、
前記外面側部分は、前記第１突起と前記第２突起に案内され前記凹部内を筒の周方向に移動する、前記回転筒の周方向に間隔を隔てて複数備えられた第３突起と、前記周方向において前記第３突起が備えられていない部分に備えられた貫通孔とを有し、
前記第１突起は、前記周方向において前記貫通孔に対応する部分に切欠き部が形成されていること、
を特徴とするレンズ鏡筒。
【請求項８】
周方向に間隔を隔てて内面側に複数備えられた第１突起と、前記周方向において前記第１突起が備えられていない部分に備えられた貫通孔とを有する固定筒と、
前記固定筒の内面側に備えられた内面側部分を有し、前記固定筒に対して回転可能に前記固定筒に保持される回転筒とを含み、
前記内面側部分は、外面側に備えられた第２突起と、前記第２突起から光軸方向に間隔を隔てて外面側に備えられた第３突起と、前記第２突起と前記第３突起との間に備えられた凹部とを有し、
前記第２突起は、前記周方向において前記貫通孔に対応する部分に切欠き部が形成されていること、
を特徴とするレンズ鏡筒。
【請求項９】
周方向に問隔を隔てて外面側に複数備えられた第１突起と、前記周方向において前記第１突起が備えられていない部分に備えられた貫通孔とを有する固定筒と、
前記固定筒の内面側に備えられた内面側部分を有し、前記固定筒に対して回転可能に前記固定筒に保持される回転筒とを含み、前記内面側部分は、内面側に備えられた第２突起と、前記第２突起から光軸方向に間隔を隔てて内面側に備えられた第３突起と、前記第２突起と前記第３突起との問に備えられた凹部とを有し、
前記第２突起は、前記周方向において前記貫通孔に対応する部分に切欠き部が形成されていること、
を特徴とするレンズ鏡筒。
【請求項１０】
請求項１から請求項９のいずれか１項に記載のレンズ鏡筒を備える撮影装置。
【発明の詳細な説明】
【技術分野】
【０００１】
本発明は、レンズ鏡筒及び撮影装置に関するものである。
【背景技術】
【０００２】
鏡筒内部が外部に対して密閉されてレンズ鏡筒を、例えば暖かい室内から低温の外部に持ち出すと、レンズに結露を生じる場合がある。このため、レンズ鏡筒の鏡筒壁に薄肉部を設けて、その薄肉部がレンズ部分よりも先に外部と同じ温度まで低下するようにし、当該薄肉部に結露を生じさせてレンズに結露を生じさせないようにしているレンズ鏡筒がある（例えば、特許文献１参照）。
【先行技術文献】
【特許文献】
【０００３】
【特許文献１】特開２０００−１９４０４８号公報
【発明の概要】
【発明が解決しようとする課題】
【０００４】
しかし、気温の差が大きい場合、上記従来技術のように薄肉部を設けても、結露を排除しきれない場合がある。レンズに結露を生じると、故障の原因となる可能性がある。また、鏡筒内部が外部に対して密閉されていると、レンズ鏡筒が伸縮する際に、気圧の変化を生じて操作しにくいという問題がある。
【０００５】
そこで、本発明の課題は、操作性の良いレンズ鏡筒及び撮影装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、内面側に備えられた第１突起（１４３）と、前記第１突起（１４３）から光軸方向に間隔を隔てて内面側に備えられた第２突起（１４４）と、前記第１突起（１４３）と前記第２突起（１４４）との問に備えられた凹部（１４１）とを有する固定筒（１４）と、前記固定筒（１４）の内面側に備えられた内面側部分（１５０）を有し、前記固定筒（１４）に対して回転可能に前記固定筒（１４）に保持される回転筒（１５）とを含み、前記内面側部分（１５０）は、前記第１突起（１４３）と前記第２突起（１４４）に案内され前記凹部（１４１）内を筒の周方向に移動する、前記回転筒（１５）の周方向に間隔を隔てて複数備えられた第３突起（１５１）と、前記周方向において前記第３突起（１５１）が備えられていない部分に備えられた貫通孔（１５２）とを有し、前記第１突起（１４３）は、前記周方向において前記貫通孔（１５２）に対応する部分に切欠き部（１４２）が形成されていることを特徴とするレンズ鏡筒（１０）である。
請求項２に記載の発明は、請求項１に記載のレンズ鏡筒（１０）において、前記貫通孔（１５２）と前記第３突起（１５１）は、周方向に交互に設けられていること、を特徴とするレンズ鏡筒（１０）である。
請求項３に記載の発明は、請求項１または２に記載のレンズ鏡筒（１０）において、前記貫通孔（１５２）及び前記切欠き部（１４２）は、周方向に延び、前記回転筒（１５）の前記固定筒（１４）に対する全移動範囲において、前記貫通孔と前記切欠き部（１４２）との少なくとも一部は、互いに隣接していること、を特徴とするレンズ鏡筒（１０）である。
請求項４に記載の発明は、請求項１から３のいずれか１項に記載のレンズ鏡筒（１０）において、前記固定筒（１４）と前記回転筒（１５）との間に、外部空間と前記切欠き部（１４２）とを連通する間隙（Ｄ２）が設けられていること、を特徴とするレンズ鏡筒（１０）である。
請求項５に記載の発明は、請求項１から４のいずれか１項に記載のレンズ鏡筒（１０）において、前記貫通孔（１５２）の内周側には、防水性及び通気性を有する部材（１０１）が配置されていることを特徴とするレンズ鏡筒（１０）である。
請求項６に記載の発明は、請求項１から５のいずれか１項に記載のレンズ鏡筒（１０）において、前記回転筒（１５）はズーム操作環又はフォーカス操作環であること、を特徴とするレンズ鏡筒（１０）である。
請求項７に記載の発明は、外面側に備えられた第１突起（１４３ａ）と、前記第１突起（１４３ａ）から光軸方向に間隔を隔てて外面側に備えられた第２突起（１４４ａ）と、前記第１突起（１４３ａ）と前記第２突起（１４４ａ）との間に備えられた凹部（１４１ａ）とを有する固定筒（１４ａ）と、前記固定筒（１４ａ）の外面側に備えられた外面側部分（１５Ａ）を有し、前記固定筒（１４ａ）に対して回転可能に前記固定筒（１４ａ）に保持される回転筒（１５ａ）とを含み、前記外面側部分（１５Ａ）は、前記第１突起（１４３）と前記第２突起（１４４）に案内され前記凹部（１４１ａ）内を筒の周方向に移動する、前記回転筒（１５ａ）の周方向に間隔を隔てて複数備えられた第３突起（１５１ａ）と、前記周方向において前記第３突起（１５１）が備えられていない部分に備えられた貫通孔（１５２ａ）とを有し、前記第１突起（１４３ａ）は、前記周方向において前記貫通孔（１５２ａ）に対応する部分に切欠き部（１４２ａ）が形成されていること、を特徴とするレンズ鏡筒である。
請求項８に記載の発明は、周方向に間隔を隔てて内面側に複数備えられた第１突起（１４３ｂ）と、前記周方向において前記第１突起（１４３ｂ）が備えられていない部分に備えられた貫通孔（１４２ｂ）とを有する固定筒（１４ｂ）と、前記固定筒（１４ｂ）の内面側に備えられた内面側部分（１５Ｂ）を有し、前記固定筒（１４ｂ）に対して回転可能に前記固定筒（１４ｂ）に保持される回転筒（１５ｂ）とを含み、前記内面側部分（１５Ｂ）は、外面側に備えられた第２突起（１５３ｂ）と、前記第２突起（１５３ｂ）から光軸方向に間隔を隔てて外面側に備えられた第３突起（１５４ｂ）と、前記第２突起（１５３ｂ）と前記第３突起（１５４ｂ）との間に備えられた凹部（１５２ｂ）とを有し、前記第２突起（１５３ｂ）は、前記周方向において前記貫通孔（１５２）に対応する部分に切欠き部（１５２ｂ）が形成されていること、を特徴とするレンズ鏡筒である。
請求項９に記載の発明は、周方向に問隔を隔てて外面側に複数備えられた第１突起（１４１ｃ）と、前記周方向において前記第１突起（１４１ｃ）が備えられていない部分に備えられた貫通孔（１４２ｃ）とを有する固定筒（１４ｃ）と、前記固定筒（１４ｃ）の内面側に備えられた内面側部分（１５Ｃを有し、前記固定筒（１４ｃ）に対して回転可能に前記固定筒（１４ｃ）に保持される回転筒（１５ｃ）とを含み、前記内面側部分（１５Ｃは、内面側に備えられた第２突起（１５３ｃ）と、前記第２突起（１５３ｃ）から光軸方向に間隔を隔てて内面側に備えられた第３突起（１５４ｃ）と、前記第２突起（１５３ｃ）と前記第３突起（１５４ｃ）との問に備えられた凹部（１５１ｃ）とを有し、前記第２突起（１５３ｃ）は、前記周方向において前記貫通孔（１４２ｃ）に対応する部分に切欠き部（１５２ｃ）が形成されていること、を特徴とするレンズ鏡筒である。
請求項１０に記載の発明は、請求項１から９のいずれか１項に記載のレンズ鏡筒（１０）を備える撮影装置（１）である。
【０００８】
なお、符号を付して説明した構成は、適宜改良してもよく、また、少なくとも一部を他の構成物に代替してもよい。また、周方向において貫通孔に対応する部分に切欠き部が形成されているとは、例えば、周方向における貫通孔の少なくとも一部が切欠き部と重なる位置にあることをいう。
【発明の効果】
【０００９】
本発明によれば、操作性の良いレンズ鏡筒及び撮影装置を提供することができる。
【図面の簡単な説明】
【００１０】
【図１】本発明の一実施形態である広角状態におけるレンズ鏡筒を備えるカメラの概念図である。
【図２】レンズ鏡筒の望遠状態における断面図である。
【図３】図１のＡ−Ａ断面に相当する光軸と直交する面における連結部の断面図である。
【図４】図２のＢ−Ｂ断面に相当する光軸と直交する面における連結部の断面図である。
【図５】連結部１００の組み立て工程を説明する図３と対応する断面図である。
【図６】連結部を分解して示す図３と対応する図であって、（ａ）は固定筒の嵌合凹部における断面図，（ｂ）はズーム操作筒の内側嵌合部における断面図である。
【図７】連結部の光軸を含む面における拡大断面図を示し、（ａ）は図３のＣ−Ｃ断面、（ｂ）は図３のＤ−Ｄ断面、（ｃ）は図３のＥ−Ｅ断面にそれぞれ対応する。
【図８】連結部を周方向に展開した断面図を示し、（ａ）は図３のＦ−Ｆ断面，（ｂ）は図４のＧ−Ｇ断面にそれぞれ対応する。
【図９】連結部を説明するための図である。
【図１０】本発明の変形形態を示す、図９に対応する図である。
【図１１】本発明の変形形態を示す、図９に対応する図である。
【図１２】本発明の変形形態を示す、図９に対応する図である。
【発明を実施するための形態】
【００１１】
以下、図面を参照して、本発明の一実施形態について説明する。
図１は、本発明の一実施形態である広角状態におけるレンズ鏡筒１０を備えるカメラ１の概念図である。図２は、レンズ鏡筒１０の望遠状態における断面図である。
【００１２】
なお、図１，図２および以下に説明する各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸ軸プラス方向、正位置において上側に向かう方向をＹ軸プラス方向、正位置において被写体に向かう方向をＺ軸プラス方向とする。また、以下の説明では、光軸ＯＡと平行な方向を「前後」とし、被写体側を「前面側」、他端側を「背面側」とそれぞれ称する。
【００１３】
カメラ１は、カメラボディ２と、カメラボディ２にマウント部３を介して着脱可能に結合されたレンズ鏡筒１０とにより構成されたデジタルカメラである。なお、本発明は、デジタルカメラに限定されるものではなく、たとえばフィルムを用いるスチルカメラにも適用可能である。
【００１４】
カメラボディ２は、光学的な被写体像を電気信号に変換する撮像素子２１を備えている。
レンズ鏡筒１０は、詳しくは後述するが、結像光学系を構成する４組のレンズ群（Ｌ１，Ｌ２，Ｌ３，Ｌ４）を備えており、入射した被写体光をカメラボディ２の撮像素子２１に結像させる。
上記構成のカメラ１は、レンズ鏡筒１０によって結像された被写体光像を撮像素子２１によって電気信号に変換し、画像情報としてカメラボディ２が備える図示しないメモリに記録する。
【００１５】
つぎに、本実施形態に係るレンズ鏡筒１０について説明する。
レンズ鏡筒１０は、光学系の合成焦点距離を変化させることのできる、いわゆるズームレンズである。図１は、レンズ鏡筒１０における焦点距離が最も短い状態（以下広角状態と言う）を示している。また、図２は、レンズ鏡筒１０における焦点距離が最も長い状態（望遠状態）を示している。
【００１６】
レンズ鏡筒１０は、第１レンズ群Ｌ１、第２レンズ群Ｌ２、第３レンズ群Ｌ３、第４レンズ群Ｌ４の４組のレンズ群を備えている。これらのレンズ群Ｌ１〜Ｌ４は、前面側から背面側に向かって順番に配設されている。第１レンズ群Ｌ１は、後述する直進筒１３の前面側の端部に支持されている。また、第２レンズ群Ｌ２、第３レンズ群Ｌ３および第４レンズ群Ｌ４は、それぞれ第２レンズ保持枠Ｆ２、第３レンズ保持枠Ｆ３および第４レンズ保持枠Ｆ４に固定されている。
【００１７】
レンズ鏡筒１０は、内筒１１と、カム筒１２と、直進筒１３と、固定筒１４と、回転筒１５と、を備えている。これらの各部材は、それぞれ円筒状に形成されている。
固定筒１４とその内側に位置する内筒１１とは、基端部（背面側の端）で結合されてレンズ鏡筒１０の基部を構成し、他の構成要素を保持している。固定筒１４の背面側端面にはカメラボディ２と結合するレンズマウント３１が設けられている。
固定筒１４と回転筒１５とは、固定筒１４の前面側に回転筒１５が連結部１００を介して相対回転可能に連結され、両者でレンズ鏡筒１０の外形を形成している。
【００１８】
内筒１１は、固定筒１４および回転筒１５の内部に同心状に位置し、前述したようにその背面側の端で固定筒１４に固定されている。内筒１１は、前面側（Ｚ軸プラス側）の大径部１１Ａと、背面側（Ｚ軸マイナス側）の小径部１１Ｂとから成り、大径部１１Ａの内周側にカム筒１２を保持し、小径部１１Ｂの内周側に第３レンズ群Ｌ３および第４レンズ群Ｌ４を保持している。
【００１９】
内筒１１の大径部１１Ａには、図示しない直進カム溝が、光軸ＯＡ方向に沿って設けられている。この直進カム溝は、第２レンズ保持枠Ｆ２の光軸ＯＡ方向における移動範囲に亘って設けられている。また、内筒１１の大径部１１Ａには、図示しないリードカム溝が、光軸ＯＡ方向と交差する方向に沿って設けられている。このリードカム溝は、直進筒１３の光軸ＯＡ方向における移動範囲に対応して設けられている。
【００２０】
カム筒１２は、内筒１１の大径部１１Ａの内周に摺動回転可能に嵌合している。
カム筒１２には、図示しないリードカム溝が、内筒１１の直進溝に対応して、光軸ＯＡと交差する方向に沿って設けられている。
また、カム筒１２は、その内周側に、第２レンズ保持枠Ｆ２（第２レンズ群Ｌ２）を摺動移動可能に保持している。
【００２１】
第２レンズ保持枠Ｆ２の外周面には、図示しないフォロアピンが、光軸ＯＡ方向と交差する方向に突出して設けられている。このフォロアピンは、カム筒１２のリードカム溝を貫通して内筒１１の直進カム溝と係合している。これにより、第２レンズ保持枠Ｆ２は、カム筒１２の回転によって直進カム溝に沿って光軸ＯＡ方向に移動駆動されるようになっている。
【００２２】
直進筒１３は、前面側端部の内周側に第１レンズ群Ｌ１を保持している。直進筒１３は、内筒１１の大径部１１Ａの外周に、摺動移動可能に嵌合している。
直進筒１３の内周面には、図示しない第１固定ピンが、径方向に突設されている。この第１固定ピンは、内筒１１に設けられたリードカム溝に係合している。また、直進筒１３の外周面には、図示しない第２固定ピンが、径方向に突設されている。この第２固定ピンは、回転筒１５の内周面に設けられた図示しない直進溝に係合している。
【００２３】
固定筒１４は、前述したように、その背面側の端部に内筒１１が固定されており、この内筒１１を介してカム筒１２を周方向に回転可能に保持するとともに、直進筒１３を光軸ＯＡ方向に移動可能に保持している。
固定筒１４の外周側には、図示しない円環状の回転操作部が、固定筒１４に対して周方向に回転可能に設けられている。この回転操作部は図示しない係合部においてカム筒１２と係合し、カム筒１２と一体的に回転可能となっている。
【００２４】
固定筒１４の前面側には、前述したように、回転筒１５が連結部１００を介して連結されている。回転筒１５は、ズーム操作を行うためのズーム操作環である。
連結部１００は、固定筒１４の前面側の端部内周に形成された周方向の係合溝１４１に、回転筒１５の背面側の端部外周に形成された周方向所定角度の係合爪部１５１が摺動移動可能に嵌合し、いわゆるバヨネット結合している。これにより、回転筒１５と固定筒１４とは、固定筒１４に対して回転筒１５が光軸ＯＡ方向には移動不能且つ相対回転可能に連結されている。この連結部１００については、後に詳述する。
【００２５】
回転筒１５の内周面には、直進筒１３の外周に突設された第２固定ピンが摺動移動可能に嵌合する図示しない直進溝が設けられている。この直進溝は、直進筒１３の光軸ＯＡ方向の移動範囲に対応して、光軸ＯＡ方向に沿って設けられている。
【００２６】
回転筒１５の前面側の内周面と、直進筒１３の外周面との間には、封止部材１６が設けられている。
封止部材１６は、円筒状の部材であって、回転筒１５の内周面に固定され、直進筒１３の外周面と摺動可能に設けられている。封止部材１６は、回転筒１５と直進筒１３との間の間隙を封止することで、塵芥や水分などが外部からレンズ鏡筒１０の内部に侵入することを防止する。
【００２７】
上記のように構成されたレンズ鏡筒１０は、下記のように作用する。
図１に示す広角状態において、回転筒１５を固定筒１４に対して周方向の一方向（背面側から見て反時計回り）に回転させる。これにより、回転筒１５の内周面の直進溝に係合する第２固定ピンを備える直進筒１３が、回転筒１５と一体的に周方向に回転し、内筒１１に対して周方向に回転する。直進筒１３が内筒１１に対して周方向に回転すると、直進筒１３の内周面に突設された第１固定ピンが、内筒１１に設けられたリードカム溝に沿って移動する。また、直進筒１３の外周面に突設された第２固定ピンは、回転筒１５の内周面に設けられた直進カム溝に沿って移動する。
【００２８】
その結果、直進筒１３（第１レンズ群Ｌ１）は、回転筒１５とともに周方向に回転しながら光軸ＯＡ方向に沿って前面側に移動して、レンズ鏡筒１０は図２に示す望遠状態となる。また、図２に示す望遠状態から回転筒１５を逆方向に回転させると、直進筒１３は、周方向に回転筒１５と一体的に回転しながら、光軸ＯＡ方向に沿って背面側に移動し、図１に示す広角状態となる。このズーム操作による直進筒１３（第１レンズ群Ｌ１）の移動に伴ってレンズ鏡筒１０の光軸ＯＡ方向における全長も変化し、広角状態では短く、望遠状態では長くなる。
【００２９】
また、固定筒１４の外周側に設けられた図示しない回転操作部を固定筒１４に対して周方向に回転させると、カム筒１２が回転操作部と一体的に回転し、カム筒１２が内筒１１に対して周方向に回転する。その結果、第２レンズ保持枠Ｆ２に設けられたフォロアピンが内筒１１の直進溝及びカム筒１２のリードカム溝に沿って移動する。これにより、第２レンズ保持枠Ｆ２（第２レンズ群Ｌ２）は光軸ＯＡ方向に沿って移動する。
【００３０】
つぎに、前述した図１および図２に加えて図３〜図９を参照して、固定筒１４と回転筒１５とを連結する連結部１００について、詳細に説明する。
図３は、図１のＡ−Ａ断面に相当する光軸ＯＡと直交する面における連結部１００の断面図である。図４は、図２のＢ−Ｂ断面に相当する光軸ＯＡと直交する面における連結部１００の断面図である。図５は、連結部１００の組み立て工程（回転筒１５の固定筒１４への組み付け）を説明する図３と対応する断面図である。図６は、連結部１００を分解して示す図３と対応する図であって、（ａ）は固定筒１４の外側嵌合部１４０における断面図，（ｂ）は回転筒１５の内側嵌合部１５０における断面図である。図７は、連結部１００の光軸ＯＡを含む面における拡大断面図を示し、（ａ）は図３のＣ−Ｃ断面、（ｂ）は図３のＤ−Ｄ断面、（ｃ）は図３のＥ−Ｅ断面にそれぞれ対応する。図８は、連結部１００を周方向に展開した断面図を示し、（ａ）は図３のＦ−Ｆ断面，（ｂ）は図４のＧ−Ｇ断面にそれぞれ対応する。図９は、連結部１００を説明するための図で、図８のＥ―Ｅ断面の斜視図である。なお、図８（ｂ）は図９のＦ−Ｆ方向から見た図である。なお、図３〜図５では、煩雑さを避けるために連結部１００より内側の構造は省略してある。
【００３１】
連結部１００は、固定筒１４の前面側端部に形成された外側嵌合部１４０に、回転筒１５の背面側端部に形成された内側嵌合部１５０が嵌合し、外側嵌合部１４０の内周に形成された係合溝１４１に、外側嵌合部１４０の外周に突設された係合爪部１５１が嵌合して構成されている。
【００３２】
固定筒１４における外側嵌合部１４０は、固定筒１４の前面側開口端部の内径が大径化されて、光軸ＯＡ方向に所定の長さで形成されている。
外側嵌合部１４０は、その内周面に、係合溝１４１と、切欠き部１４２と、係合爪部１４３と、を備えている。
係合溝１４１は、光軸ＯＡ方向に所定の幅で径方向には所定深さの矩形の断面形状で、固定筒１４の前面側端面から所定量背面側に、周方向に沿って連続して形成されている。
【００３３】
外側嵌合部１４０における、係合溝１４１より背面側の部位は嵌合段部１４４となっており、係合溝１４１より前面側（開放側）の係合爪部１４３は嵌合段部１４４より大径となっている。
切欠き部１４２は、係合溝１４１より前面側の係合爪部１４３が、所定の角度範囲で切り欠かれて形成されている。この切欠き部１４２の角度範囲は、後述する内側嵌合部１５０における係合爪部１５１が光軸ＯＡ方向に嵌入可能なように、係合爪部１５１より大きく設定されている。切欠き部１４２の底面は、係合溝１４１の底面と一致している。切欠き部１４２は、後述する内側嵌合部１５０における係合爪部１５１と対応して、周方向に等角度間隔で３箇所（すなわち１２０°間隔で）形成されている。
係合爪部１４３は、切欠き部１４２により分断され、係合溝１４１より前面側に設けられている。つまり、係合爪部１４３は、周方向に３箇所、所定角度範囲に形成されている。
【００３４】
回転筒１５における内側嵌合部１５０は、回転筒１５の背面側端部に設けられている。内側嵌合部１５０の外径は、当該回転筒１５の外径より小径で、固定筒１４における外側嵌合部１４０の嵌合段部１４４に回転可能に嵌合するように設定されている。
【００３５】
内側嵌合部１５０は、係合爪部１５１と、貫通孔１５２とを備えている。
係合爪部１５１は、内側嵌合部１５０の外周に周方向所定角度範囲で突設されており、周方向に等角度間隔で３箇所（すなわち１２０°間隔で）設けられている。係合爪部１５１の断面形状は、その光軸ＯＡ方向が外側嵌合部１４０の係合溝１４１に摺動移動可能に嵌合する矩形であって、径方向の高さは係合溝１４１の深さより小さく設定されている。
【００３６】
貫通孔１５２は、３箇所の係合爪部１５１の配設位置の中間部位に、それぞれ周方向に所定角度範囲で、内側嵌合部１５０の内外を連通するように開口形成されている。
貫通孔１５２は、光軸ＯＡ方向における位置が固定筒１４における外側嵌合部１４０の係合溝１４１と対応しており、係合溝１４１より所定量幅広に形成されている。すなわち、図７（ａ）および（ｂ）に示すように、貫通孔１５２の背面側の縁は、係合溝１４１の背面側の縁より背面側に位置し、貫通孔１５２の前面側の縁は、係合溝１４１の前面側の縁より前面側に位置するようになっている。
【００３７】
また、貫通孔１５２の内周側には、光軸ＯＡ方向および周方向において貫通孔１５２より一回り大きく開口するシート装着凹部１５３が、径方向に所定深さで形成されている。このシート装着凹部１５３には、防水通気シート１０１が取り付けられている。
防水通気シート１０１は、水滴や塵埃等は透過させずに気体の流通は許容する、防水性及び通気性を有する部材によって形成されている。防水通気シート１０１は、シート装着凹部１５３にその周縁部で、たとえば接着剤等によって固定され、貫通孔１５２の内周側にその全域を覆って配設されている。
【００３８】
上記のように構成された連結部１００は、内側嵌合部１５０の先端（背面側の端部）が、外側嵌合部１４０の嵌合段部１４４に摺動回転可能に嵌合すると共に、外側嵌合部１４０の係合溝１４１に内側嵌合部１５０の係合爪部１５１が嵌合して、外側嵌合部１４０（固定筒１４）と内側嵌合部１５０（回転筒１５）とを相対回転可能に連結している。内側嵌合部１５０が嵌合段部１４４に嵌合することで、内側嵌合部１５０（回転筒１５）の外側嵌合部１４０（固定筒１４）に対する傾き（すなわち光軸ＯＡに対する傾き）を防いでいる。
【００３９】
この連結部１００が固定筒１４（外側嵌合部１４０）と回転筒１５（内側嵌合部１５０）とを連結した状態において、図７に示すように、外側嵌合部１４０における係合爪部１４３の内周面と、内側嵌合部１５０の外周面との間には、間隙Ｄ１が形成されている。また、固定筒１４の前端面と、回転筒１５の外周と内側嵌合部１５０との段差面（背面側に向かう面）との間には、間隙Ｄ２が形成されている。
【００４０】
これにより、図７（ａ）に示す貫通孔１５２と対応する位置では、図中矢印で示すように、係合溝１４１が切欠き部１４２および間隙Ｄ２を介して外部と空気が流通可能に連通する。また、図７（ｂ）に示す係合溝１４１に係合爪部１５１が嵌合していない位置では、係合溝１４１が、間隙Ｄ１および間隙Ｄ２介して外部と空気が流通可能に連通する。
【００４１】
上記構成の連結部１００の組み立て（固定筒１４への回転筒１５の結合）は、下記のようにして行われる。
すなわち、図５に示すように、回転筒１５における内側嵌合部１５０の係合爪部１５１を、固定筒１４における外側嵌合部１４０の切欠き部１４２に合致させて、回転筒１５の内側嵌合部１５０を固定筒１４の外側嵌合部１４０へ嵌入させる。そして、係合爪部１５１の背面側の端面が、外側嵌合部１４０の係合溝１４１の背面側の面に当接した状態で、回転筒１５を図５中矢印Ｒで示すように反時計回りに回転させる。これによって、図３に示すように係合爪部１５１を係合爪部１４３の形成領域に移動させ、外側嵌合部１４０の係合溝１４１に係合爪部１５１を嵌合（係合爪部１５１を係合爪部１４３に係合）させた状態とする。
【００４２】
ここで、当該レンズ鏡筒１０の広角側端から望遠側端に至るズーム操作時における、係合爪部１４３（固定筒１４）に対する、係合爪部１５１（回転筒１５）の周方向の位置および回転角度は、以下のように設定されている。
すなわち、広角状態では、図３に示すように、内側嵌合部１５０の係合爪部１５１は、外側嵌合部１４０における係合爪部１４３の、回転筒１５の広角側から望遠側への回転方向（図３中矢印Ｒで示す方向）下流側に位置する。そして、望遠状態では、係合爪部１５１が、係合爪部１４３の上流側まで移動する。つまり、ズーム操作時には、係合爪部１５１は係合爪部１４３の形成角度範囲内を移動し、係合爪部１５１が外れる位置（切欠き部１４２と対応する位置）とはならないようになっている。
【００４３】
また、貫通孔１５２の周方向における形成範囲は、図３および図８（ａ）に示す広角状態において、望遠側への回転方向（図中矢印Ｒで示す方向）上流側が切欠き部１４２と所定角度範囲θ１で重合し、図４および図８（ｂ）に示す望遠状態においてはその下流側が切欠き部１４２と所定角度範囲θ２で重合するように設定されている。つまり、広角状態と望遠状態の中間において切欠き部１４２全体が貫通孔１５２と重合し、この状態から内側嵌合部１５０が広角側または望遠側の何れの側に回転しても、貫通孔１５２と切欠き部１４２との所定角度範囲の重合が維持されるように設定されている。
【００４４】
このような構成により、貫通孔１５２と切欠き部１４２とが重合する領域は、ズーム操作範囲の全域において常に周方向の３箇所に所形成されることとなる。このように貫通孔１５２と切欠き部１４２とが重合する領域では、図７（ａ）および図８中に矢印で空気の流れを示すように、回転筒１５の内周側と当該レンズ鏡筒１０の外部とが貫通孔１５２と切欠き部１４２および間隙Ｄ２を介して通気可能に連通する。
これにより、広角状態から望遠状態に至るズーム範囲全域において、回転筒１５の内周側とレンズ鏡筒１０の外部とが、貫通孔１５２と切欠き部１４２および間隙Ｄ２を介して通気可能に連通する。
【００４５】
また、図７（ｂ）に示す係合爪部１５１が係合溝１４１に係合していない部位において、係合溝１４１は貫通孔１５２を介して回転筒１５の内周側と通気可能に連通する。前述したように、係合溝１４１は、間隙Ｄ１および間隙Ｄ２介して外部と空気が流通可能に連通する。その結果、回転筒１５の内周側と当該レンズ鏡筒１０の外部とが通気可能に連通する。
【００４６】
上記のように構成された連結部１００は、レンズ鏡筒１０のズーム操作時において、レンズ鏡筒１０の内部と外部との間で空気を円滑に流通させて、レンズ鏡筒１０の内外の内圧差を迅速に解消させることができる。
【００４７】
すなわち、回転筒１５の回転操作によって、図１に示す広角状態から図２に示す望遠状態に焦点距離を変化させる際には、直進筒３に保持された第１レンズ群Ｌ１と第２レンズ群Ｌ２とが離間して、両者の間の空間Ｓ１の容積が増大する。空間Ｓ１の容積が増大するとその内圧が低下するため、空間Ｓ１に、内筒１１と回転筒１５との間の空間Ｓ２から、内筒１１の直進カム溝及びリードカム溝、カム筒１２のリードカム溝、および内筒１１と直進筒１３との間の間隙などを介して空気が流入する。この際、連結部１００は、空間Ｓ２へ間隙Ｄ２と切欠き部１４２および貫通孔１５２を介して円滑に空気を流入させる。
【００４８】
一方、回転筒１５の回転操作によって、図２に示す望遠状態から図１に示す広角状態から焦点距離を変化させる際には、直進筒３に保持された第１レンズ群Ｌ１と第２レンズ群Ｌ２とが接近して、両者の間の空間Ｓ１の容積が減少する。空間Ｓ１の容積が減少するとその内圧が増加し、空間Ｓ１から内筒１１と回転筒１５との間の空間Ｓ２に、内筒１１の直進カム溝及びリードカム溝、カム筒１２のリードカム溝、および内筒１１と直進筒１３との間の間隙などを介して空気が流出する。この際、連結部１００は、空間Ｓ２から貫通孔１５２と切欠き部１４２および間隙Ｄ２を介して円滑に空気を排出させる。
【００４９】
空気が流通する切欠き部１４２は、係合爪部１５１を嵌挿させるために径方向の開口が大きく、少ない流路抵抗で空気を迅速に流通させることができる。また、貫通孔１５２の内周側に配設された防水通気シート１０１は、水滴や塵埃等のレンズ鏡筒１０の内部への侵入を防ぐ。
これにより、ズーム操作時におけるレンズ鏡筒１０の内外の気圧差に起因するズーム操作の抵抗を抑制することができ、円滑なズーム操作が可能となる。
【００５０】
なお、回転筒１５と直進筒１３との間を介した空間Ｓ２と外部との空気の流通は封止部材１６によって阻止され、また、固定筒１４の背面側は閉塞状態にある。このため、連結部１００によって空気の流通が行われない場合には、第１レンズ群Ｌ１と第２レンズ群Ｌ２との間の空間Ｓ１の容積変化に伴う圧力変化が抵抗として作用し、円滑なズーム操作を阻害することになる。
【００５１】
以上、本実施形態によると、以下の効果を有する。
（１）レンズ鏡筒１０は、固定筒１４と回転筒１５とを結合する連結部１００に、その内外を連通する貫通孔１５２と切欠き部１４２とを備えている。これにより、この連結部１００における貫通孔１５２と切欠き部１４２を介してレンズ鏡筒１０の内外で空気を円滑に流通させることができる。
すなわち、周方向において貫通孔１５２に対応する部分に切欠き部１４２が形成されているので、気体が貫通孔１５２から切欠き部１４２に抜けることができる。
その結果、ズーム操作時における第１レンズ群Ｌ１の移動等によって生ずるレンズ鏡筒１０の内外の気圧差に起因するズーム操作の抵抗を低減することができ、円滑なズーム操作が可能となる。
【００５２】
（２）連結部１００は、径方向に大きく開口する切欠き部１４２を空気の流通路として利用する。このため、少ない抵抗で空気を迅速に流すことができ、円滑なズーム操作が可能となる。
【００５３】
（３）連結部１００は、内側嵌合部１５０における貫通孔１５２の内周側に防水通気シート１０１を備えているため、水滴や塵埃等が空気の流入と共にレンズ鏡筒１０の内部への侵入を防ぐことができる。
【００５４】
（変形形態）
以上、説明した実施形態に限定されることなく、以下に示すような種々の変形や変更が可能であり、それらも本発明の範囲内である。
【００５５】
（１）本実施形態では、固定筒１４が外側で回転筒１５が内側である形態について説明したが、本発明はこれに限定されない。図１０に示すように固定筒１４ａが内側であって回転筒１５ａが外側であってもよい。
すなわち、外面側に備えられた係合爪部１４３ａと、係合爪部１４３ａから光軸方向に間隔を隔てて外面側に備えられた嵌合段部１４４ａと、係合爪部１４３ａと嵌合段部１４４ａとの間に備えられた係合溝１４１ａとを有する固定筒１４ａと、固定筒１４ａの外面側に備えられた外面側部分１５Ａを有し、固定筒１４ａに対して回転可能に固定筒１４ａに保持される回転筒１５ａとを含み、外面側部分１５Ａは、係合爪部１４３と嵌合段部１４４に案内され係合溝１４１ａ内を筒の周方向に移動する、回転筒１５ａの周方向に間隔を隔てて複数備えられた係合爪部１５１ａと、周方向において係合爪部１５１が備えられていない部分に備えられた貫通孔１５２ａとを有し、係合爪部１４３ａは、周方向において貫通孔１５２ａに対応する部分に切欠き部１４２ａが形成されていてもよい。
【００５６】
（２）また、本実施形態では、係合爪部１５１が回転筒１５にある形態について説明したが、本発明はこれに限定されない。図１１に示すように係合爪部１４３ｂが固定筒１４ｂに設けられていてもよい。
すなわち、周方向に間隔を隔てて内面側に複数備えられた係合爪部１４３ｂと、周方向において係合爪部１４３ｂが備えられていない部分に備えられた貫通孔１４２ｂとを有する固定筒１４ｂと、固定筒１４ｂの内面側に備えられた内面側部分１５Ｂを有し、固定筒１４ｂに対して回転可能に固定筒１４ｂに保持される回転筒１５ｂとを含み、内面側部分１５Ｂは、外面側に備えられた嵌合径部１５３ｂと、嵌合径部１５３ｂから光軸方向に間隔を隔てて外面側に備えられた係合爪部１５４ｂと、嵌合径部１５３ｂと係合爪部１５４ｂとの間に備えられた係合溝１５１ｂとを有し、嵌合径部１５３ｂは、周方向において貫通孔１５２に対応する部分に切欠き部１５２ｂが形成されていてもよい。
【００５７】
（３）さらに、本実施形態では、固定筒１４が外側で回転筒１５が内側であり、係合爪部１５１が回転筒１５にある形態について説明したが、本発明はこれに限定されない。図１２に示すように固定筒１４ｃが内側であって回転筒１５ｃが外側であり、係合爪部１４３ｂが固定筒１４ｂに設けられていてもよい。
すなわち周方向に問隔を隔てて外面側に複数備えられた係合爪部１４１ｃと、周方向において係合爪部１４１ｃが備えられていない部分に備えられた貫通孔１４２ｃとを有する固定筒１４ｃと、固定筒１４ｃの内面側に備えられた内面側部分１５Ｃを有し、固定筒１４ｃに対して回転可能に固定筒１４ｃに保持される回転筒１５ｃとを含み、内面側部分１５Ｃは、内面側に備えられた嵌合径部１５３ｃと、嵌合径部１５３ｃから光軸方向に間隔を隔てて内面側に備えられた係合爪部１５４ｃと、嵌合径部１５３ｃと係合爪部１５４ｃとの問に備えられた係合溝１５１ｃとを有し、嵌合径部１５３ｃは、周方向において貫通孔１４２ｃに対応する部分に切欠き部１５２ｃが形成されていてもよい。
【００５８】
（４）本実施形態は、本発明をズーム操作する回転筒１５の固定筒１４との連結部１００に適用した形態である。しかし、本発明の適用部位はこれに限定されるものではなく、２つの部材を相対回転可能に結合する部位、たとえばフォーカス操作リングの結合部位等に適用しても良い。
【００５９】
（５）さらに、本実施形態では、着脱式のレンズ鏡筒について説明したが、本発明はこれに限定されず、カメラボディとレンズ鏡筒が一体となったカメラに適用しても良い。
【００６０】
なお、実施形態及び変形形態は、適宜組み合わせて用いることもできるが、詳細な説明は省略する。また、本発明は以上説明した実施形態によって限定されることはない。
【符号の説明】
【００６１】
１：カメラ、２：カメラボディ、２１：撮像素子、１０：レンズ鏡筒、１４：固定筒、１５：ズーム操作筒、１００：連結部、１０１：防水通気シート、１４０：嵌合凹部、１４１：係合溝、１４２：切欠き部、１４３：係合爪部、１４４：嵌合段部、１５０：内側嵌合部、１５１：係合爪部、１５２：貫通孔、Ｄ１，Ｄ２：間隙、ＯＡ：光軸、Ｓ１，Ｓ２：空間
【図１】
2011248008.tif 000003
【図２】
2011248008.tif 000004
【図３】
2011248008.tif 000005
【図４】
2011248008.tif 000006
【図５】
2011248008.tif 000007
【図６】
2011248008.tif 000008
【図７】
2011248008.tif 000009
【図８】
2011248008.tif 000010
【図９】
2011248008.tif 000011
【図１０】
2011248008.tif 000012
【図１１】
2011248008.tif 000013
【図１２】
2011248008.tif 000014